(57)【特許請求の範囲】
【請求項１】
洗浄可能な汚物を受け入れる衛生器具であって、
前記汚物を受け入れる少なくとも一つの受容器（１２）と、
所定量の洗浄水を貯える貯水タンク（１７）と、
前記貯水タンク（１７）の内部と流体連通するポンプ（１８）と、
ポンプ排出口（２５）と前記受容器（１２）とを連結する管（２７）と、を有し、
前記ポンプ（１８）を作動させて所定時間の間に所定量の洗浄水を前記受容器（１２）に送出させ、あるいは前記ポンプ（１８）を作動させて少なくとも一つの他の所定時間の間に少なくとも一つの他の所定量の洗浄水を前記受容器（１２）に送出させ、それにより前記衛生器具が制御されて２つの異なる洗浄サイクルを使用できるようにポンプ（１８）に選択的にかつ作動的に接続された自動制御手段（８０）を備え、前記制御手段（８０）は前記ポンプの最後の動作後一定の遅延時間前に前記ポンプ（１８）が作動するのを防止する時間遅延手段を有している、ことを特徴とする洗浄可能な汚物を受け入れる衛生器具。
【請求項２】
前記制御手段（８０）はタッチ式のスイッチ（８１，８２，８３）によって作動されることを特徴とする請求項１に記載の衛生器具。
【請求項３】
受容器（１２）はリム（１４）と大便器部分とを有し、前記制御手段（８０）がさらに順番に、第１シーケンスでリムに所定量の洗浄水を送出させ、第２シーケンスで前記受容器の大便器と前記リム（１４）の双方に所定量の洗浄水を送出させ、第３シーケンスで前記リム（１４）に所定量の洗浄水を送出させるようにポンプ（１８）に選択的にかつ作動的に接続されていることを特徴とする請求項１に記載の衛生器具。
【請求項４】
前記受容器（１２）はリム（１４）と大便器部分とを有し、前記制御手段（８０）はさらに、所定量の洗浄水を前記リム（１４）と前記大便器の双方に同時に送出させるようにポンプ（１８）に選択的にかつ作動的に接続されていることを特徴とする請求項１に記載の衛生器具。
【請求項５】
前記受容器（１２）はリム（１４）と大便器部分とを有し、前記制御手段（８０）はさらに、所定量の洗浄水を前記リム（１４）にのみ送出させるようにポンプ（１８）に選択的にかつ作動的に接続されていることを特徴とする請求項１に記載の衛生器具。
【請求項６】
前記受容器（１２）はリム（１４）と大便器部分とを有し、前記制御手段（８０）はさらに順番に、第１シーケンスで所定量の洗浄水を前記リム（１４）に送出させ、第２シーケンスで所定量の洗浄水を前記リム（１４）と前記大便器に送出させるようにポンプ（１８）に選択的にかつ作動的に接続されていることを特徴とする請求項１に記載の衛生器具。
【請求項７】
前記受容器（１２）はリム（１４）と大便器部分とを有し、前記衛生器具がさらに、前記リム（１４）と大便器に洗浄水を送出した後に前記ポンプとは独立に前記リム（１４）に水を送出する弁手段を有していることを特徴とする請求項１に記載の衛生器具。
【請求項８】
前記受容器（１２）はリム（１４）と大便器部分とを有し、前記制御手段（８０）がさらに順番に、第１シーケンスで前記リム（１４）に所定量の洗浄水を送出させ、第２シーケンスで前記大便器に所定量の洗浄水を送出させ、第３シーケンスで前記リム（１４）に所定量の洗浄水を送出させるようにポンプ（１８）に選択的にかつ作動的に接続されていることを特徴とする請求項１に記載の衛生器具。
【請求項９】
前記制御手段（８０）は、前記一つの所定量の洗浄水と、異なる量の他の所定量の洗浄水を前記貯水タンク（１７）から前記受容器に汲み上げさせるように前記ポンプ手段を作動させる予め選択された複数の時間を有することを特徴とする請求項１に記載の衛生器具。
【請求項１０】
前記受容器は便器用容器であり、中空のリム（１４）と大便器（１２）を有し、前記管（２７）は前記リムの下方の前記大便器に接続され、前記ポンプの排出口と前記リムとを接続する追加の管（３０）を有していることを特徴とする請求項１に記載の衛生器具。
【請求項１１】
前記ポンプはポンプモータ（２０）により駆動され、前記モータ（２０）は少なくとも二つの異なる速度を有していることを特徴とする請求項１に記載の衛生器具。
【請求項１２】
前記ポンプはポンプモータ（２０）により駆動され、前記ポンプ（１８）は前記モータ（２０）によって駆動された磁気駆動の駆動軸によって作動することを特徴とする請求項１に記載の衛生器具。
【請求項１３】
前記貯水タンク中洗浄水のレベルを決める検出手段（６５Ａ）を有し、前記制御手段は、前記検出手段が作動された回数を確認する計数手段を有し、前記制御手段は、前記計数手段が予め定めた数に達したときに前記貯水タンクへの洗浄水を制御するために供給弁を閉じるように構成されことを特徴とする請求項１に記載の衛生器具。
【請求項１４】
水源に接続されたタンクの取入れ管と、
前記取入れ管に作動可能に接続された補充用制御弁と、
前記補充用制御弁と前記受容器とを連結するチューブとを有し、
水は前記チューブを通じて前記受容器に流れて前記管（２７）と前記ポンプ（１８）とは独立に水シールを実現することを特徴とする請求項１に記載の衛生器具。
【請求項１５】
前記補充用制御弁は、水が前記取入れ管を通って汲み上げられてポンプの作動が停止した後に、追加の水が前記チューブを通って前記受容器に流れて水シールを実現するように構成配置されていることを特徴とする請求項１４に記載の衛生器具。
【請求項１６】
前記ポンプは貯水タンク（１７）中に位置するポンプモータとポンプを含むことを特徴とする請求項１に記載の衛生器具。
【請求項１７】
前記タンク（１７）と前記受容器（１２）とを連結し、前記受容器から前記タンクへの水の帰りの流れを許容する流体帰り通路手段（３３）を有し、前記受容器の頂部を越える水こぼれが前記流体帰り通路手段（３３）によって防止されることを特徴とする請求項１に記載の衛生器具。
【請求項１８】
少なくとも２つの受容器を有し、洗浄水を一度に前記２つの受容器（１０Ｂ，７４Ｂ）のうちの１つのみに転換する手段を含む転換手段（７５Ｂ）を有していることを特徴とする請求項１に記載の衛生器具。
【請求項１９】
前記１つの受容器は小便器（７４Ｂ）であり、もう１つの前記受容器は便器（１０Ｂ）であることを特徴とする請求項１８に記載の衛生器具。
【発明の詳細な説明】
【０００１】
【産業上の利用分野】
本発明は、節水型の衛生器具に関する。特に本発明は、便器および小便器等衛生器具の作動を補助するポンプを使用する改良手段に関する。
【０００２】
【従来の技術】
大便器の高さの少なくとも一部上方に貯水槽を有する形式の重力フィード便器は従来典型的に便器を洗浄する水の容量は３ガロン以上であった。最近、これら便器の効率は多くの場合、１．６ガロンの水で十分に大便器を洗浄するほどに改良されている。しかし、特に多量の排せつ物がある場合、大便器を完全に洗浄するには二重洗浄がなお必要である。さらにまた、もし、これら便器が通常のフラッシュ（洗浄）中さらに能率よくできていれば、また小便やティッシューのみが大便器内にあるとき少ない水で洗浄できればさらに節水が行われると希望されていた。
【０００３】
洗浄を行うのに必要な水の量を減ずる従来の方法の１つは洗浄水を加圧することである。米国特許第２，９７９，７３１号、第３，４３１，５６３号および第５，０３６，５５３号参照。
【０００４】
【発明が解決しようとする課題】
しかし、これら従来の方式は複雑で高価のため、普通、標準サイズの便器に完全に合うには適していない。また他にも問題があった。
【０００５】
従って、被洗浄物の形式にもとずき使用される水量を変え、リム部分と大便器部分にたいする洗浄水を能率的に生じ、単一貯水槽から多器具へ水を分配させ、貯水槽の配置を変えさせ、美的に満足するコンパクトなデザインが得られ、水が溢れる問題を解決し、短絡に関する安全基準に合致し、さらに良好な便器洗浄と汚物除去特性を有する改良ポンプ作動衛生器具を必要としている。
【０００６】
【課題を解決するための手段】
一側面において、本発明は、汚物を受け入れる少なくとも１つの受容器と、一定量の洗浄水を貯える貯水タンクと、（貯水槽内に共に設けられる）ポンプ・モータおよびポンプと、このポンプの流入口は貯水タンクの内部と連通しており、ポンプ排出口と受容器との間に連結される管と、ポンプ排出口へ一定量の洗浄水を送出するため一定期間ポンプを作動するモータに選択的かつ作動的に連結される制御手段とを備える、洗浄可能な汚物を受入れる衛生器具を提供する。
【０００７】
他の好ましい形式において、ポンプ手段は貯水タンクの内側または外側のいずれかに設けられ、制御手段は、受容器へ少なくとも他の量の洗浄水を送出するため少なくとも他の一定期間ポンプを作動するためポンプ手段に選択的かつ作動的に連結される。
【０００８】
さらに他の好ましい形式において、便器および小便器等汚物を受入れる少なくとも２つの受容器を備える。
【０００９】
さらに他の形式において、補充用弁が取入れ管に連動され、チューブが補充用弁と大便器のリムとの間に連結される。
【００１０】
さらに他の形式において、ポンプの動作と大便器のオーバフローを防止する時間遅延手段を含む制御手段を備える。
【００１１】
他の形式において、タンク壁を介して配置され、モータにたいするモータと電気接続部分の下に位置する流体通路手段を備える。
【００１２】
さらに他の面において、洗浄液等流体を貯える受容器と、大便器を洗浄するため大便器に上記流体をくみ入れるもう１つのポンプ手段とを備える。
【００１３】
さらに他の面において、貯水タンクと大便器の双方にたいするオーバフロー防止手段を備える。貯水タンクについて、供給弁に洩れがある場合、給水をしゃ断するために電動フェールセーフ弁が供給管に連結される。また、タンクから余分の水をくみ出するためポンプ・モータに接続されるオーバフロー検出器を備える。便器用容器について、ポンプの過度作動と大便器のあふれを防止する時間遅延手段を備える。
【００１４】
さらに他の好ましい形式において、ポンプ排出口と大便器とリム間に連結される第一、第二管を備える。モータとポンプに連結される制御手段は、リムへの一定量の洗浄水と、大便器への一定量の洗浄水を、交互に、または同時に、そして選択的にシーケンス状に送出する。
【００１５】
従って、本発明の目的は：
イ．  少量の水を使用して大便器または小便器から洗浄可能な汚物を除去できる上記種類の衛生器具を提供すること。
ロ．  ポンプとモータを電気的に制御して、大便器とリムへ異なるタイミング・シーケンスで異なる量の水を送出できる上記種類の衛生器具を提供すること。
ハ．  安全手段を設けてオーバフロー状態を可能性を実質的に減少する上記種類の衛生器具を提供すること。
ニ．  ポンプを衛生器具に容易に着脱できる上記種類の衛生器具を提供すること。
ホ．  １つのポンプが多数の衛生器具に使用できる上記種類の衛生器具を提供すること。
ヘ．  一定で所定量の水流が供給管路圧力または流動特性に関係なくジェット水路に送出される上記種類の衛生器具を提供すること。
ト．  洗浄目的で、洗浄液が別タンクから大便器へくみ入れできる上記種類の衛生器具を提供すること。
チ．  標準水道および廃水管路を取付けできる上記種類の衛生器具を提供すること。
リ．  ポンプと貯水槽は大便器または小便器から離れて設けられる上記種類の衛生器具を提供すること。
ヌ．  洗浄動作はスイッチにより行われる上記形式の衛生器具を提供すること。
【００１６】
本発明のこれらおよび他の目的ならびに利益は下記の説明から明らかになる。下記の詳細な説明において、本発明の好ましい実施例は添付図面について説明される。これら実施例は本発明の全範囲を示すものではない。むしろ本発明は他の実施例に使用される。従って本発明の範囲の解釈には特許請求の範囲を参照されたい。
【００１７】
【実施例】
実施例について図面を参照して説明する。図１と図２を参照すると、中空リム１４付大便器部分を有する受容器１０が示されている。“貯水槽”１６はタンク１７の形式である。タンク（貯水タンク）１７に、排水型のポンプ１８が位置している。それは振動吸収足部１９により貯水槽に支持される。ポンプユニット４３は、電力が電気コード２１により供給されるモータ２０により駆動されるポンプ１８を含む。モータ２０は、以下で図１３について詳細に説明される密封密閉磁気駆動によりポンプ１８を駆動する。なお、本発明の驚くべき点は電動機（モータ）を便器水槽内に設ける点である。
【００１８】
水は流入口２３からポンプ１８に入り、排出マニホルド２５によりポンプ１８から出る。排出管２７は水を、コネクタ６８を介し固定されたジェット流路２８（図４参照）等受容器１２の下部へ送る。小管３０は水を流路３２を介しリム１４へ送る。
【００１９】
図２と図３を参照すると、水は、通常の水源に連結される流入路３５からタンク１７に入る。フロート弁アセンブリ３７は、ロッド４２とレバーアーム４４により管４０内で（図示せざる）弁を作動するフロート３９を含む。フロート３９は案内部材４５により案内される。流入弁を通る水は流入弁ハッシ管４７を介し貯水槽に入る。また、フロート弁が開放状態のときはいつも少量の水をリム１４へ送るためフロート弁アセンブリに連結されたバイパス管５０がある。
【００２０】
図４と図５に明示するように、上方受容器部分１２と貯水槽１６との間に帰り管３３がある。これにより、タンクがオーバフロー状態の場合に水をタンクから大便器へ通す。また、大便器が停止状態となりオーバフローに近い状態である場合に他方向の流れを生じさせる。
【００２１】
また、帰り通路３３に隣接しかつタンク１７内にせき部材６９が設けられる。これにより、他部へのオーバフローが生ずる前にタンク１７または受容器部分１２内の水位を上げる。また、図３と図６に明示するように、水の流れを容易にするためリム通路口７３が設けられている。
【００２２】
図７をつぎに参照すると、いくつかの開口５２がタンク１７の後壁１１を貫通している。開口５２の目的は、帰り通路３３が閉そくされた場合、タンク１７からの溢流をタンクから流出させることである。開口５２は流体こぼれ通路となり、底部上方から離れたタンク内に位置することにより溢流がモータ２０にたいするコード２１からの電気接続部と接触する前に逃げるようにすると共に、水がモータに入る地点の下方に設けられる。この接続部の位置は図２に示されている。開口５２はまた汚水がタンク内で高く上昇して管４０内の取水と接触しないようにしている。
【００２３】
図８〜１１は他の実施例１０Ａを示す。同じまたは同様な構成部分には上記第一実施例と同じ符号であってこれに“Ａ”を付して示す。これら２つの実施例間の違いの１つは、貯水槽１６Ａを受容器部分１２Ａの下に設置し従って貯水槽１６Ａ内の水位を受容器部分（大便器または大便器部分）１２Ａの水位より下にした点である。大便器部分１２Ａの支持柱１５Ａは、大便器部分１２Ａの側面と後部に沿って延長する囲繞ハウジング２２Ａと共に設けられている。
【００２４】
図８の変型において、貯水槽１６Ａに、大便器部分１２Ａを洗浄する洗浄液を収容する受容器２４Ａが設けられている。洗浄液は、モータ５６Ａにより駆動されるポンプ５４Ａの流入側に連結された管５３Ａによって受容器２４Ａからくみ出される。第二管５７Ａはポンプ５４Ａの流出側から大便器部分１２Ａのリム１４Ａへ延長し、そこで流入管５５Ａに連結される。
【００２５】
図１１は囲繞ハウジング２２Ａの外側での受容器２４Ａの他の設置を示す。
【００２６】
図９と図１０は特に、リム１４Ａと大便器部分１２Ａと共に貯水槽１６Ａへの水の供給を示す。ポンプ１８Ａとモータ２０Ａは貯水槽１６Ａ内に設けられる。水はフロート弁アセンブリ３２Ａを介し入り、流出管４７Ａにより貯水槽１６Ａに送られる。しかし、この場合、流入水は供給路５９Ａによりフロート弁アセンブリ３７Ａに供給される。流入水は供給路５９Ａからハウジング２２Ａの後部を経て供給され、通電時に弁６０Ａを開弁する常閉ソレノイドにより制御される。ポンプ１８Ａは、管２７Ａ′，２７Ａ″とマニホルド２５Ａにも接続される管２７Ａによって大便器１２Ａに水を供給する。ポンプはまたマニホルド２５Ａに連結された管３０Ａによりリム１４Ａに水を供給する。
【００２７】
図１０に明示されるように、ソレノイド・ダイヤフラム弁６２Ａが管２７Ａ′に連結されている。これはパイロット６３Ａにより作動され、水を大便器部分１２Ａに供給するための動作がされるまで閉位置に維持される。
【００２８】
特に図９を参照すると、水位検出装置６５Ａが示され、これは端部に電気接点キャップ６７Ａを有する案内棒６４Ａに取付けたフロート６６Ａを含む。フロート６６Ａがキャップ６７Ａに接触すると電気信号がモータ２０Ａに送られポンプ１８Ａを作動することにより貯水槽１６Ａ内の最高水位２６Ａを決定する。案内棒６４Ａはブラケット６１Ａに支持され、このブラケットは支持棒５１Ａに調節可能に連結される。典型的排出ドレン５８Ａに連通するトラップウェイ４９Ａも示されている。
【００２９】
図１２はさらに他の実施例（７０Ｂ）を示す。同じまたは同様な構成部分は第一実施例と同じ符号であって、これに“Ｂ”を付して示す。この実施例７０Ｂにおいて、ポンプ１８Ｂとモータ２０Ｂは壁掛便器（受容器）１０Ｂ等衛生器具の外側に設けられる。この例では、洗い流し水は貯水槽１６Ｂに収容され、取入れ管７１Ｂと出力管７２Ｂによって貯水槽１６Ｂからくみ出される。水は転換弁７５Ｂを介し便器１０Ｂおよび（または）小便器７４Ｂへ転換される。
【００３０】
好ましい方法では、便器１０Ｂへくみ入れられる水量は、１．６ガロン以下で、一方小便器７４Ｂに送出される水量は通常１．０ガロン以下である。便器１０Ｂと小便器７４Ｂに送出される水量は図１４と図１７，１８について後述するタイミング回路により制御できる。
【００３１】
図１３はモータ２０により駆動されるポンプ１８を詳細に示す。モータ２０とポンプ１８は共に密封ハウジング２９と３１内で開放される。モータ１３は、ポンプ・ロータ４１により支持される磁石３８を吸引する磁石３６を有するロータ３４を駆動する。これによりポンプ作用を行い水を入口２３に流入しマニホルド２５から排出させる（図２参照）。なお、磁石３６，３８を夫々のプラスチック・ハウジングに設置するとロータ３４，４１間に封止が得られることにより、貯水槽の水との短絡が減少する。フット部材４６により、貯水槽１６または１６Ａの底部から入口２３の適当な間隔が得られる（図２または図３参照）。支持部材４８はモータ・ハウジング２９の床上の一定距離にモータ１３を位置決めする。
【００３２】
図１４〜２１は前述の実施例の電気的制御を示す。マイクロプロセッサー８０は、実施例１０Ａの場合、特別の便器洗浄フラッシュと共に、短フラッシュ機能と（シートカバーの閉止により動作される）長フラッシュ機能とを含む所望の記載機能を行うようにプログラムされている。これら機能は、好ましくはタッチ式のスイッチボタン８１，８２，８３により開始される。この種のスイッチは同じスイッチ・ハウジング内で長フラッシュ機能と短フラッシュ機能とを有する隔膜スイッチである。シートカバー閉止機能の場合、スイッチ８４の動作に加え、普通“ワンショット”として知られる単安定マルチバイブレータ８５を有する。
【００３３】
この特別なシートカバー閉止機能は、その教示をここにレファレンスとして組み入れる、１９９２年１月２２日に出願された共有米国特許出願第０７／８２４，８０８号に詳細に記載されている。米国特許第３，５９０，３９７号も参照されたい。基本的に、この思想によると、便器ぶたの磁石の位置がタンク内のセンサーにより検出され、その情報よりフラッシュングを制御する（例えば、まずふたが閉まると、フラッシュが生ずる）。水位検出器６５Ａもマイクロプロセッサ８０に入力される。マイクロプロセッサ８０の出力側は夫々管路８６，８７，８８により主ポンプ１８Ａ、大便器洗浄液用ポンプ５４Ａおよび供給弁ソレノイド６２Ａに接続される。後述するように、実施例７０Ｂと共に、短フラッシュボタン８１は図１８で１１８で示すように押される小便フラッシュキーの機能を果す。
【００３４】
図１５と１６を参照すると、これら図は図１〜図７に示した実施例の流れ図を示す。始動９９後のポンプ便器１０の作動の第１工程は、スイッチがキーまたは押しボタン等で動作されたかどうかの判定工程９０である。もしキーが動作されなければ、バックグランド・タイマは更新される（９１，９２）。指定数のユニットがあるかどうかチェックされる。あれば、リセットされ（９３）、フラッシュ・タイマが見て（９４）、０秒と等しいかどうか判定する。なければ、減少される（９５）。
【００３５】
バックグランド・タイマは、長短キー（９７，１０５）についての後述動作の作動および主ポンプ１８のタイミングと共に説明する方法でフラッシュ・タイマと共に作動する。工程９６において、フラッシュ・タイマは３０秒より長いかどうかチェックされる。短かければ、長キーまたは短キー（９７または１０５）のいずれかを動作させる。
【００３６】
もし、スイッチ８２により動作される等、長フラッシュ・キー（９７）であれば有効入力チェック（９８）後工程９９で生ポンプ１８を始動させる。これにより直ちに、管２５を介し大便器部分１２のジェットにたいしまた、管３０によりリム部分１４に水を送出する。工程１００で示すように３．１７秒遅延後、工程１０１でポンプ１８を切る。これで水１．６ガロンを送り、通常排せつ物を洗い流すのに使用される。工程１０２で、フラッシュ・タイマに６０秒を加えた後、他のフラッシュ・サイクルが開始される前に長キーまたは短キーが押されたかどうか判定される（１０３，１０４）。長フラッシュ・サイクルでなく短フラッシュ・サイクルが選択されれば、短フラッシュ・キー１０５がスイッチ８１等により動作される。入力チェック（１０６）後、ポンプ１８は動作され（１０７）、２．０７秒間作動される（１０８）。水１．０ガロン送出後ポンプは切られる（１０１）。この短フラッシュは通常、小便および紙を洗い流すのに使用される。再びフラッシュ・タイマに６０秒を加える（１０２）。
【００３７】
バックグランドとフラッシュのタイマは２つの遅延面があるように工程９６，１０２によりプログラムされる。第１は、第２フラッシュは第１フラッシュ後３０秒以上で６０秒以下生ずる状態である。なお、タンク１７を再充てんするために常にフラッシュ間に３０秒の遅れがある。この状態では、便器は最初の３０秒遅れ後２回目に洗い流されるが、これでは、最初のフラッシュから最大９０秒にその後各フラッシュに６０秒加えるまで３回目は洗い流されない。第二の場合は、第２のフラッシュは第１フラッシュの６０秒またはつぎのフラッシュ後９０秒以内に生じない状態である。この場合、バックグランド・タイマは自動的にリセットし、便器はタンクを充てんするのに要する３０秒以外に限定されずに再び洗い流される。要するに、これは、便器は第１の場合のように、制限なく６０秒ごとに洗い流されることを意味する。
【００３８】
図１７，１８を参照すると、各図は図１２に示す実施例の流れ図を示す。なお、工程８９−９６は図１５について前述した工程と同じである。フラッシュ・キー１１０を選べば、これはスイッチ８２により動作されて、同じ工程９８−１０２が図１３Ｂについて前述したように行われる。同様に、便器と小便用フラッシュ・キーの状態について同じ判定がなされる（１１６，１１７）。シート・フラッシュがふた閉止スイッチ８４により動作される場合、同じ手順が長フラッシュについて工程９８−１０２に示すように行われる。小便用フラッシュ・キーが動作される場合（１１８）、図１６について述べた工程１０６−１０８，１０１，１０２と同様な短フラッシュ・サイクルが開始される。
【００３９】
図１９，２０，２１を参照すると、各図は図８−１０に示す実施例の流れ図を示す。工程８９−９６は、供給弁６０を開ける工程１２２を除き、図１５と図１７について前述した工程と同じである。長フラッシュ・キー９７が動作されると、有効入力チェック（９８）後、主ポンプ１８Ａが工程９９で始動される。すると直ちに、水を管３０Ａによりリム部分１４Ａに送出する。水は、ジェット・ダイヤフラム弁６２Ａが閉弁されていると管７７Ａを介し大便器部分１２Ａ内のジェットに流れないようになっている。工程１２３で示すように０．５秒遅延後、工程１２４でソレノイド・パイロット６３Ａが始動される。すると水を管３０Ａを介してリム部分１４Ａと共にポンプ１８Ａから大便器部分１２Ａのジェットに送出する。工程１００で見られるように３．５秒後、工程１２５で弁６２Ａは閉弁される。工程１２６で示すように３秒の遅延後、水はリム部分１４Ａに流れ続ける。３秒遅延後、主ポンプ１８Ａは工程１０１で切られる。残りの工程１０２−１０４は図１６について前述した工程と同じである。
【００４０】
シート動作機能も前述のように長フラッシュ工程９８−１０１について工程１３６に示されている。
【００４１】
小便や紙を洗い流すように短フラッシュが望ましい場合は、工程１０５で示すように短フラッシュ・ボタン８１を動作して短フラッシュを開始させる。つぎの工程１０６−１３０は、ポンプが３．５秒よりむしろ２．５秒間作動される工程１０８を除き、夫々工程９８−１２６について示すものと本質的に同じである。
【００４２】
前記フラッシュ機能に加え、洗浄液をリム部分１４Ａを送出する、工程１３１で示す独立洗浄フラッシュもある。有効入力チェック（１３２）後、工程１３３で主ポンプ１８Ａと衛生ポンプ５４Ａが始動される。工程１３３で６秒後、工程１３４で主ポンプ１８Ａと衛生ポンプ５４Ａは停止された後、６秒の遅延がある（１３５）。
【００４３】
図１４と図２０を参照すると、信号が水位検出器６５Ａからマイクロプロセッサー８０に送られる。この信号は、ジェット・ソレノイドと共に主ポンプ１９Ａが始動されると動作され（１３７）、貯水槽１６Ａから水をくみ出し便器１０Ａに送り、フロート弁アセンブリ３７Ａが不調の場合貯水槽１６Ａのオーバフロー状態を防止している。４秒遅れて、主ポンプ１８Ａとジェット・ソレノイドは停止される（１４０）。オーバフロー状態が１４１で示すように６０分に３回生じていると、供給弁６０Ａは閉弁され（１４１）、待ち期間が始まる（１４３）。マイクロプロセッサー８０についてさらに安全対策は、制御回路とポンプ１８Ａの電気的故障やフロート弁アセンブリ３７Ａの閉弁故障の場合、供給弁６０Ａを閉弁することである。
【００４４】
【発明の効果】
このように本発明は、機能ごとの水の利用を少なくする改良便器フラッシュ方式を提供する。二重フラッシュの必要性が減ずる。好ましい実施例を説明したが、多くの変型や変更が本発明の精神と範囲から逸脱しないでなしうることはこの開示から当業者に明らかである。たとえば、第１シーケンスでリムに、第２シーケンスでリムと大便器に、第３シーケンスでリムだけにたいする洗浄水の送出をポンプ便器について説明したが、この方式を変えて、弁６２Ａと共に大便器への管２７，２７Ａ′，２７Ａ″を排除することによりリムのみに水を送出することができる。また別に、リムと弁６２Ａへの管３０，３０Ａを排除することにより大便器のみへの洗浄水送出をここに記載の方式によって行うことができる。リムおよび（または）大便器への洗浄水送出の任意組み合せが適当な弁機構によって行える。たとえば、リム−大便器−リム送出で−シーケンスにより大便器のみに流水したい場合には、弁６２Ａ等を管３０Ａに設ける。さらに別に、管２７，２７Ａ，２７Ａ′，２７Ａ″，３０Ａについて３方弁を使用できる。
【００４５】
前記開示実施例について長短フラッシュ・サイクルを説明した。なお、これら２つのサイクルは大便器洗浄フラッシュまたはシートカバー動作とは別に採用できる。同じ方法で、第３長フラッシュ・サイクルが洗浄水量の変化に応じ中間サイクルと共に長短フラッシュ・サイクルと共に利用できる。同様に、所望により、フラッシュ・サイクルの１つを排除することにより単一フラッシュ・サイクルのみを採用でき、なお、一定時間ポンプを作動し多量の水を貯水タンクから大便器に送出する。貯水槽１６Ｂとポンプ１８Ｂを１つの便器１０Ｂと１つの小便器７４Ｂについて説明したが、出力管７３Ｂ，７４Ｂと相互接続して多数の衛生器具を採用できる。実施例１０Ａについて前述したすべてのフラッシュ・サイクルは便器１０Ｂと共に利用できる。
【００４６】
さらに、シートカバーおよび衛生機能を排除してなお節水できる。同様に、オーバフロー機能を排除してなお上記節水機能が達成される。また、一定数（たとえば３０回）の便器の使用後、洗浄サイクルが自動的に生ずるようにプロセッサが使用数を計算するよう洗浄機能を自動化できる。長短フラッシュ・サイクルを異なる間隔でポンプモータで作動して行った。これはまた、図１６の点線で交互示すように、ポンプモータを２つの異なる速度で運転して達成してもよい。
【図面の簡単な説明】
【図１】本発明の好ましい実施例を備える（タンクぶたを除去した）便器の平面一部破断図。
【図２】図１の２−２線で破断した一部断面図。
【図３】図１の３−３線で破断した断面図。
【図４】図１の４−４線で破断した一部断面図。
【図５】図４の５−５線で破断した一部断面図。
【図６】図３の６−６線で破断した一部断面図。
【図７】図１に示す便器の裏面図。
【図８】他の実施例を示す一部断面側面図。
【図９】図８に示す便器の一部断面裏面図。
【図１０】図９の１０−１０線で破断した断面図。
【図１１】さらに他の実施例を示す図８と同様な図。
【図１２】さらに他の実施例の略図。
【図１３】ここに記載される便器に使用されるポンプとモータを詳細に示す縦断面図。
【図１４】モータとポンプ用制御回路の略図。
【図１５】図１４に示す制御回路の信号流れブロック線図を示すフローチャート。
【図１６】図１４に示す制御回路の信号流れブロック線図を示すフローチャート。
【図１７】図１４に示す制御回路の信号流れブロック線図を示すフローチャート。
【図１８】図１４に示す制御回路の信号流れブロック線図を示すフローチャート。
【図１９】図１４に示す制御回路の信号流れブロック線図を示すフローチャート。
【図２０】図１４に示す制御回路の信号流れブロック線図を示すフローチャート。
【図２１】図１４に示す制御回路の信号流れブロック線図を示すフローチャート。
【符号の説明】
１０  便器
１０Ｂ  便器
１２  受容器
１２Ｂ  大便器
１３  モータ
１４  リム
１１  貯水槽
１６Ａ  貯水槽
１６Ｂ  貯水槽
１７  貯水タンク
１８  ポンプ
１８Ａ  ポンプ
１８Ｂ  ポンプ
２０  モータ
２０Ａ  モータ
２０Ｂ  モータ
２３  流入口
２４Ａ  受容器
２７  排出管
２７Ａ′  排出管
２７Ａ″  排出管
２８  ジェット流路
３０  管
３３  帰り通路
３５  流入管
３６  磁石
３８  磁石
３７  フロート弁アセンブリ
３７Ａ  フロート弁アセンブリ
４１  案内部材
５４Ａ  ポンプ
５５Ａ  流入管
５６Ａ  モータ
５９Ａ  供給路
６０Ａ  弁
６２Ａ  ソレノイド・ダイヤフラム弁
６３Ａ  パイロット
６５Ａ  水位検出装置
６６Ａ  フロート
７１Ｂ  取入管
７２Ｂ  出力管
７４Ｂ  小便器
７５Ｂ  転換弁
８０  マイクロプロセッサー
８１  スイッチ
８２  スイッチ
８３  スイッチ
８４  スイッチ
８６  管路
８７  管路
８８  管路
９７  フラッシュ・キー
１０５  フラッシュ・キー
【図１】
0003542622.tif 000002
【図２】
0003542622.tif 000003
【図３】
0003542622.tif 000004
【図４】
0003542622.tif 000005
【図５】
0003542622.tif 000006
【図６】
0003542622.tif 000007
【図７】
0003542622.tif 000008
【図８】
0003542622.tif 000009
【図９】
0003542622.tif 000010
【図１０】
0003542622.tif 000011
【図１１】
0003542622.tif 000012
【図１２】
0003542622.tif 000013
【図１３】
0003542622.tif 000014
【図１４】
0003542622.tif 000015
【図１５】
0003542622.tif 000016
【図１６】
0003542622.tif 000017
【図１７】
0003542622.tif 000018
【図１８】
0003542622.tif 000019
【図１９】
0003542622.tif 000020
【図２０】
0003542622.tif 000021
【図２１】
0003542622.tif 000022